(57)【要約】      （修正有）【課題】保護布が、ぶらぶらと自由に揺り動くことがなく、喉部の手術痕のガーゼに布が接触したり、又、手術痕が露出したりすると言う問題が解消し、又、保護具が前後方向に回動可能であるため、保護具を装着したままで保護具の下部を前方に持ち上げて喉部の傷や手術痕の手当てを容易にすることができる保護具を提供する。【解決手段】首部に巻回し、装着するための保持バンドと、保持バンドの首部への装着時の略左右に当たる位置に一端を固定された上部リンクと、それぞれの上部リンクの他端は中央リンクの一端と前後方向に回動可能なピンで連結し、さらに、それぞれの中央リンクの他端は下部リンクの両端部に左右方向に回動可能なピンで連結して保護枠とし、保護枠の前面部を保護布で覆った喉部の保護具である。【選択図】図１
0003138672.tif 000002
【実用新案登録請求の範囲】
【請求項１】
喉部の保護具であって、首部に巻回し、装着するための保持バンドと、該保持バン
ドの装着状態における首部の略左右に当たる位置に一端をそれぞれ固定した上部リ
ンクと、各上部リンクの他端はそれぞれの中央リンクの一端に中央リンクの下部が前
後方向に回動可能となるように連結し、さらに、各中央リンクの他端は下部リンクの
両端部に中央リンクの上部が左右方向に回動可能となるように連結されてなる保護
枠とし、該保護枠の前面部を保護布で覆ったことを特徴とする喉部の保護具。
【考案の詳細な説明】
【技術分野】
【０００１】
この考案は、喉部の怪我や、手術による傷部を保護するための喉部の保護具に関する。
【背景技術】
【０００２】
従来より、手術等により生じた喉部の傷を隠したり、保護する物として、布の端に紐を取り付けた保護帯や、首の回りに巻き付けた首当て部材の下方に布を取り付けたものが知られている。（例えば、特許文献１）
【特許文献１】実開平６−７４１２５
【考案の開示】
【考案が解決しようとする課題】
【０００３】
従来の喉部の保護具は、布の下方が固定されていないため、布が、ぶらぶらと自由に揺り動くため、例えば、喉部の手術痕のガーゼに布が接触したり、又、手術痕が露出したりする問題があった。
【課題を解決するための手段】
【０００４】
本考案は、喉部の保護具であって、首部に巻回し、装着するための保持バンドと、該
保持バンドの装着状態における首部の略左右に当たる位置に一端をそれぞれ固定し
た上部リンクと、各上部リンクの他端はそれぞれの中央リンクの一端に中央リンクの
下部が前後方向に回動可能となるように連結し、さらに、各中央リンクの他端は下部
リンクの両端部に中央リンクの上部が左右方向に回動可能となるように連結されて
なる保護枠とし、該保護枠の前面部を保護布で覆ったことを特徴とする喉部の保護具
である。
【考案の効果】
【０００５】
本考案の構成により、布のほぼ全周囲が保護枠を包んで、布の端部を折り返して縫合し、固定されているため、保護布が、ぶらぶらと自由に揺り動くことがなく、喉部の手術痕のガーゼに布が接触したり、又、手術痕が露出したりすると言う問題が解消された。又、保護具が前後方向に回動可能であるため、保護具を装着したままで保護具の下部を前方に持ち上げて喉部の傷や手術痕の手当てを容易にすることができる。さらに、保護枠の中央リンクの上部を左右方向に回動することができるので首周りの太さに応じて、幅方向への大きさが調整できると言う効果がある。
【考案を実施するための最良の形態】
【０００６】
本考案の保護具を構成するそれぞれの部材について図１により説明する。本考案の保護具（１）を首で保持するための保持バンド（４）は布、プラスティックで良いが、首への巻回長さ方向の一部又は全部が伸縮自在な弾性部材、例えば、ゴム紐であれば頸部への圧迫が柔らげられるのでさらに良い。
【０００７】
又、保持バンド（４）は接合部において首周りの大きさが調整可能なように面ファスナーやフックによる接合部材（１０）により係止し、頸部で保持できる構造となっている。
【０００８】
保持バンド（４）の頸部に保持した場合の首のほぼ左右に当たる位置にそれぞれ上部
リンク（５，５）の一端を固着し、この他端にはそれぞれ中央リンク（６，６）の一
端と、中央リンク（６，６）の下方が前後方向に回動可能なように回動ピン（８，８
）で連結する。この場合、中央リンク（６，６）の下方が前後方向に回動可能なよう
にするには、回動ピン（８，８）を通すピン穴軸は左右の方向に向けて設けられる。
【０００９】
さらに、それぞれの中央リンクの他端は下部リンク（７）の両端に、中央リンク（６
，６）の上方が左右方向に開くように回動可能な回動ピン（９，９）で連結する。こ
の場合、中央リンク（６，６）の上方が左右方向に開くように回動可能とするために
は、回動ピン（９，９）を通すピン穴軸は前後の方向に向けて設けられる。すなわち、
この回動ピン（９，９）穴軸は前記の回動ピン（８，８）を通すピン穴軸とほぼ直交
する方向に設けられる。このように両ピン穴軸をほぼ直交する方向に設けるには図１
に示すとおり中央リンク（６，６）両ピン穴軸を平行に明けた後にそれぞれの中央リ
ンク（６，６）を直角方向に捻ることで両ピン穴軸はほぼ直交することとなる。
【００１０】
上部リンク（５，５）、中央リンク（６，６）及び下部リンク（７）はプラスチック
等の撓みやすい材料を用いると良い。前記のそれぞれのリンクの断面形状は平板状で
も良いし、多角形や丸でも良い。さらに、体型に合わせてそれぞれのリンクには、曲
部や丸みを付けて体に沿う形状にすることができる。
【００１１】
又、回動ピン（８，８）、回動ピン（９，９）は金属製のビスとナットの組合せや割ピンでも良いが、プラスチック製のビスとナットの組合せや割ピン等とすることで、他の部材がプラスチック等の非金属であれば保護具を装着したままでＣＴスキャナーの検査を受けることができるので、保護具の取り外しを要せず一層良い。
【００１２】
図２に示すように、前記のような構成からなる保護枠（３）の前面に保護布（２）で覆うことにより喉部の保護具（１）が完成する。保護布（２）は、保持バンド（４）の後方部である上部リンク（５，５）のそれぞれの取り付け位置よりも後ろを除いた部分の保持バンド（４）の前部と各リンクからなる保護枠の前面から保護布（２）を覆い、その端部のほぼ全周囲を折り返して縫合することで保護枠（３）の前面に保護布（２）覆うことができる。
【００１３】
喉部の保護具（１）の装着の取り外しは、保持バンド（４）の後方部に設けられた接合部材（１０）、例えば、面ファスナーやフックを取り付け、取り外しすることにより行う。接合部材（１０）は首周りの大きさが調整できるように設けると良い。又、装着時には、回動ピン（９，９）を中心にして、中央リンク（６，６）のそれぞれの上方部が左右方向に回動することができ、幅の調整が可能となる。
【００１４】
さらに、喉部を覆っている保護具（１）を上方に開放する場合は、保護具（１）の下方部を持ち上げることで、回動ピン（８，８）を中心に中央リンク（６，６）の下方が前方に回動され、喉部を覆っている保護具（１）を喉部から開放することができる。
【実施例】
【００１５】
保持バンド（４）は巾１２ｍｍで長さ４００ｍｍの帯状のゴム紐とし、その両端部に接合部材（１０）として面ファスナーの雄と雌を設けた。上部リンク（５，５）、中央リンク（６，６）及び下部リンク（７）はそれぞれ板状のプラスチック製とし厚さ１ｍｍ、巾１２ｍｍとし、長さは上部リンクを６０ｍｍ、中央リンクを１１０ｍｍ、下部リンクを１００ｍｍとし、保持バンド（４）である帯状のゴム紐の頸部の左右に当たる位置に上部リンク（５，５）の一端を固着した。
【００１６】
上部リンク（５，５）の他端と中央リンク（６，６）の一端をプラスチック製の直径４ｍｍ、長さ１０ｍｍのビスとナットにより回動ピン（８，８）とし、それぞれのリンクを回動可能に取り付けた。さらに、中央リンク（６，６）の他端と下部リンク（７）の両端を上記の回動ピン（８，８）と同じ大きさ、材質のビスとナットにより回動ピン（９，９）とし、それぞれのリンクを回動可能に取り付けた。なお、それぞれの中央リンク（６，６）の長手方向の両端部において、板状の面に対しピン穴軸を設けた後、図１に示すとおり、中央リンク（６，６）の長手方向の周りに９０度捻り、回動ピン（８，８）と回動ピン（９，９）のピン穴軸を直交させた。なお、中央リンクの断面形状が多角形や丸の場合は、初めからピン穴軸を直交させる方向に穴あけすることにより、長手方向の周りに９０度捻ることは不要となる。
【００１７】
保持バンド（４）の首前部に当たる位置と上部リンク（５，５）、中央リンク（６，６）及び下部リンク（７）からなる保護枠の前面側から保護布を当て、その布の全周囲の端部で保護枠を包み込むようにして覆い、布の端部を折り返し、縫合して保護具（１）を作成した。
【産業上の利用可能性】
【００１８】
本考案の保護具は、医療業界における医療品として活用できる物である。
【図面の簡単な説明】
【００１９】
【図１】本考案に係る保護具の保護枠の斜視図である。
【図２】本考案に係る保護具の斜視図である。
【符号の説明】
【００２０】
１    保護具
２    保護布
３    保護枠
４    保持バンド
５    上部リンク
６    中央リンク
７    下部リンク
８    回動ピン
９    回動ピン
１０  バンド接合部材
【図１】
0003138672.tif 000003
【図２】
0003138672.tif 000004